(57)【要約】【課題】関連付けされたファイルの関連性が維持して異なるメディアに移動または複写する。【解決手段】メモリカードに記録されているデータファイルをＣＤ−Ｒメディアに記録する際に、全データファイルを１枚のＣＤ−Ｒメディアに記録できない場合には、データファイルを複数のＣＤ−Ｒメディアに分割して記録する。このときにシステムコントローラは、関連付けされた画像データファイルと音声ファイルデータとが同一のＣＤ−Ｒメディアに記録されるように制御する。【選択図】        図５
2004296045.tif 000002
【特許請求の範囲】
【請求項１】
第１の記録メディア上のデータファイルを第２の記録メディアにコントローラの制御によって記録するデータ記録制御方法において、
前記コントローラによって第１の記録メディアから第２の記録メディアに記録すべきデータファイルのデータサイズ及びデータファイル間の関連付けを調べ、前記記録すべきデータファイルの全データサイズが第２のメディアの記録可能なデータサイズよりも大きく、かつ関連付けされたデータファイルが含まれるときには、複数の第２の記録メディアにデータファイルを分割して記録するとともに、関連付けされたデータファイル同士を同一の第２の記録メディアに記録することを特徴とするデータ記録制御方法。
【請求項２】
装填された第１の記録メディアにアクセスしてデータファイルの読み出しが可能な第１のメディアドライブと、装填された第２の記録メディアにアクセスしてデータファイルの書き込みが可能な第２のメディアドライブと、これら第１及び第２のメディアドライブを制御するコントローラとを備え、第１の記録メディアから第２の記録メディアにデータファイルを記録するデータ記録装置において、
前記コントローラは、第１の記録メディアから第２の記録メディアに記録すべきデータファイルのデータサイズ及びデータファイル間の関連付けを調べ、前記記録すべきデータファイルの全データサイズが第２のメディアの記録可能なデータサイズよりも大きく、かつ関連付けされたデータファイルが含まれるときには、複数の第２の記録メディアにデータファイルを分割して記録するとともに、関連付けされたデータファイル同士を同一の第２の記録メディアに記録するように、第１の記録メディアから第２の記録メディアへの記録を制御することを特徴とするデータ記録装置。
【請求項３】
複数の第２の記録メディアに分割して記録する際に、第２の記録メディアの交換要求を行う交換要求手段を備えることを特徴とする請求項１記載のデータ記録装置。
【発明の詳細な説明】
【０００１】
【発明の属する技術分野】
本発明は、複数のメディア間でデータファイルの移動や複写などの記録を行なうデータ記録制御方法及びデータ記録装置に関するものである。
【０００２】
【従来の技術】
デジタルカメラで撮影された画像は、例えば、小型のスマートメディア（登録商標）などのメモリーカードや、それに類する磁気ディスクに画像データファイルとして記憶される。このような記録メディアは一般的に高価であるため、通常は空き記憶容量が少なくなった時点で不要な画像データファイルを削除したり、コンピュータのハードディスクに画像データファイルをコピーする等して空き記憶容量を作成していた。
【０００３】
上述したような煩雑なファイル管理を簡略化するために、メモリカードにアクセスして画像データファイルの読み出し及び書き込みを行なう複数のメディアドライブと、ＣＤ−ＲＯＭに記録されている画像データファイルを読み出すとともに、ＣＤ−Ｒメディアに対して画像データファイルの書き込みを行なうＣＤ−Ｒドライブと、プリンタ機能とを備えたデータファイリング装置が販売されている。このデータファイリング装置では、メモリカードに記録されている画像データファイルをＣＤ−Ｒメディアに移動や複写することができ、大量の画像データファイルの管理を容易に行なえるようにしている。
【０００４】
一方、音声データファイルを画像データファイルと関連付けして記録，再生する音声メモ機能や、独立した音声ファイルとして記録，再生するボイスレコーダ機能を有したデジタルカメラが知られている。画像データファイルと音声データファイルとを関連付けすることにより、例えば画像データファイルを読み出して画像を再生している間に、それに関連付けされた音声再生を容易に行うことができる。特許文献１に記載されたデジタルカメラでは、画像データファイルと音声データファイルとに拡張子だけを変えた共通なファイル名を付与することによって、これらの各データファイルの関連付けを行っている。
【０００５】
【特許文献１】
特開２００２−２２３４０１号
【０００６】
【発明が解決しようとする課題】
ところで、上記のＣＤ−Ｒメディア等のような記録可能な光ディスクの記録可能なデータサイズは、これまでメモリカード等よりも十分な大きさを持っていたが、最近では１ＧＢ以上の記憶容量を有するメモリカードも登場している。このため、１枚の光ディスクにメモリカードの全内容を記録できずに、複数枚の光ディスクに分割してデータファイルを記録しなければならないケースが発生する。また、追記可能な光デイスクにメモリカードの内容を追加記録する場合に、光デイスクの残容量が不足するときにも、複数枚の光ディスクに分割して記録する必要が生じる。
【０００７】
しかしながら、上記のように画像データファイルと音声データファイルとが関連付けられてメモリカード等に記録されている場合に、これら関連付けられた画像データファイルと音声データファイルとが別々の光ディスクに記録されてしまうと、各データファイルの関連付けが意味をなさなくなってしまうという問題があった。これは、データファイルの記録先が光ディスクに限らず、各種の記録メディアについても同様である。
【０００８】
本発明は、上記問題点を解決するためのもので、デジタルカメラ等で関連付けされて記録されたデータファイルの関連付けを損なうことなく、別の記録メディアに記録できるデータ記録制御方法及びデータ記録装置を提供することを目的とする。
【０００９】
【課題を解決するための手段】
上記目的を達成するために、請求項１記載のデータ記録制御方法では、コントローラによって第１の記録メディアから第２の記録メディアに記録すべきデータファイルのデータサイズ及びデータファイル間の関連付けを調べ、前記記録すべきデータファイルの全データサイズが第２のメディアの記録可能なデータサイズよりも大きく、かつ関連付けされたデータファイルが含まれるときには、複数の第２の記録メディアにデータファイルを分割して記録するとともに、関連付けされたデータファイル同士を同一の第２の記録メディアに記録するものである。
【００１０】
請求項２記載のデータ記録装置では、コントローラは、第１の記録メディアから第２の記録メディアに記録すべきデータファイルのデータサイズ及びデータファイル間の関連付けを調べ、前記記録すべきデータファイルの全データサイズが第２のメディアの記録可能なデータサイズよりも大きく、かつ関連付けされたデータファイルが含まれるときには、複数の第２の記録メディアにデータファイルを分割して記録するとともに、関連付けされたデータファイル同士を同一の第２の記録メディアに記録するように、第１の記録メディアから第２の記録メディアへの記録を制御するものである。
【００１１】
請求項３記載のデータ記録装置では、複数の第２の記録メディアに分割して記録する際に、第２の記録メディアの交換要求を行う交換要求手段を備えたものである。
【００１２】
【発明の実施の形態】
図１および図２に、本発明を実施したデータ記録装置としてのデータファイリング装置の外観を示す。データファイリング装置１０は、第１および第２のメモリーカード１１，１２、ＣＤ−Ｒメディア１３の各記録メディアにアクセスして画像データファイルの読み取りや書き込みを行い、画像データファイルに基づいて画像のプリントを行なう。
【００１３】
データファイリング装置１０の装置本体１５の前面には、ＣＤ−Ｒメディア１３をセットするためのトレイ１６と、給紙カセット１７をセットするための開口１８とが設けられている。トレイ１６は、ＣＤ−Ｒドライブ１９の構成部分であり、図１に示す引き出し位置と、図２に示す収納位置との間で移動される。この移動は、取り出しボタン２０を押下することによって行われるが、ＣＤ−Ｒメディア１３の交換をユーザに要求する際に、自動的に引き出し位置に移動させてもよい。
【００１４】
ＣＤ−Ｒメディア１３は、周知のように、レーザ光を使用してデータの記録および読み取りが行われる光記録メディアである。ＣＤ−Ｒメディア１３は、約６５０ＭＢ〜７００ＭＢの記憶容量を持っている。このＣＤ−Ｒメディア１３は、メモリーカードに記録されたデータファイルをファイリングして保存しておくための記録メディアとして使用される。
【００１５】
給紙カセット１７がセットされる開口１８の奥には、プリンタユニット２２（図４参照）が設けられている。給紙カセット１７には、シート状の記録紙２４が複数枚収納される。給紙カセット１７から引き出された記録紙２４は、プリンタユニット２２で画像がプリントされる。プリント済みの記録紙２４は、給紙カセット１７の上面に排紙される。
【００１６】
装置本体１５の前面には、トレイ１６と開口１８とを覆う閉じ位置と、これを露呈する開き位置との間で開閉自在な蓋２６が取り付けられている。装置本体１５の前面左側には、電源スイッチ２８が設けられている。また、トレイ１６および開口１８の右横には、データファイリング装置１０の各部を操作するための操作パネル２９が設けられている。この操作パネル２９内には、各種の操作ボタン等の他、ＬＣＤ３０と、第１および第２のスロット３１，３２とが設けられている。
【００１７】
第１のメモリーカード１１はスマートメディア（登録商標）であり、専用の第１のスロット３１にセットされる。第２のスロット３２は、ＰＣカードタイプの第２のメモリーカード１２がセットされるスロットである。第１および第２のスロット３１，３２の奥には、各メモリーカード１１，１２のメディアドライブである第１および第２のカードリーダ３４，３５（図５参照）が配置されている。第１及び第２のカードリーダ３４，３５は選択的に使用され、これらの切り替えはスライドスイッチ３６によって行われる。デジタルカメラ３８での撮影，録音により生成されたデータファイルは、これら各メモリーカード１１，１２に電気的に記録される。
【００１８】
ＬＣＤ３０は、操作画面や、各メモリーカード１１，１２又はＣＤ−Ｒメディア１３に記録された画像データファイルを再生表示するための表示手段である。また、このＬＣＤ３０には、メモリーカード１１またはメモリカード１２から全てのデータファイルをＣＤ−Ｒメディア１３に書き込む際に、ユーザに対してＣＤ−Ｒメディア１３の交換要求や容量不足の警告が表示される。
【００１９】
ＬＣＤ３０の下には、操作画面内のカーソルの移動や、コマの選択など汎用的に使用される汎用キー４０が設けられている。符号４１は選択したメニューを実行するための実行ボタンであり、符号４２は、直前の操作をキャンセルするためのキャンセルボタンである。操作画面とこれら各種操作ボタンとにより、各種の指示がなされる。
【００２０】
また、操作パネル２９には、これら汎用的に使用される各操作ボタンの他、使用頻度の高い機能を指示するための専用ボタンが設けられている。プリントボタン４４は、選択した画像やインデックス画像などのプリント指示をするための専用ボタンである。
【００２１】
保存ボタン４５は、第１又は第２のメモリーカード１１，１２内の全ての画像データファイル及び音声データファイルを、ＣＤ−Ｒメディア１３へ保存する指示のための専用ボタンである。この保存ボタン４５の操作に応答してデータファイルの保存を行う際に、このデータファイリング装置１０では、後述するように関連付けられ画像データファイルと音声データファイルとが、別々のＣＤ−Ｒメディア１３に分割されて記録されないように制御する。なお、ＣＤ−Ｒメディア１３への記録後にメモリカード１１のデータファイルを消去すればデータファイルの移動となり、そのまま残せば複写となる。
【００２２】
図３に一例を示すように、デジタルカメラ３８では、撮影で得られる画像データファイルＰ１，Ｐ２，Ｐ３・・・・は、例えば第１のメモリーカード１１に作成されたディレクトリＤ１内にまとめて記録されている。また、デジタルカメラ３８で録音されて得られる音声データファイルＳ３，・・・・Ｓ４０，Ｓ４１，Ｓ４２についても、ディレクトリＤ１内にまとめて記録されている。
【００２３】
なお、一般的に、「ＤＳＣＦＸＸＸＸ．ＪＰＧ」，「ＤＳＣＦＸＸＸＸ．ＷＡＶ」をファイル名と呼ぶとともに、「ＤＳＣＦＸＸＸＸ」，「ＤＳＣＦＸＸＸＸ」の部分についてもファイル名と呼ばれているため、以下では、混乱を避けるために「ＤＳＣＦＸＸＸＸ．ＪＰＧ」，「ＤＳＣＦＸＸＸＸ．ＷＡＶ」をファイル名と称し、「ＤＳＣＦＸＸＸＸ」，「ＤＳＣＦＸＸＸＸ」の部分を便宜的に識別名と称して説明する。
【００２４】
画像データファイルには、ファイル番号を含む所定形式の識別名と画像用の拡張子とからなるファイル名「ＤＳＣＦＸＸＸＸ．ＪＰＧ」が付与されている。音声データファイルには、ファイル番号を含む所定形式の識別名と音声用の拡張子とからなる音声ファイル名「ＤＳＣＦＸＸＸＸ．ＷＡＶ」が付与されている。上記の「ＤＳＣＦＸＸＸＸ．ＪＰＧ」及び「ＤＳＣＦＸＸＸＸ．ＷＡＶ」のうち「ＡＢＣＤＸＸＸＸ」が識別名であり、「．（ピリオド）」  の後の「ＪＰＧ  」が画像用の拡張子，「ＷＡＶ  」が音声用の拡張子である。また、ファイル名のうちの「ＸＸＸＸ」が「０００１」〜「９９９９」の４桁の数字からなるファイル番号である。さらに、ファイル名のうちの「ＤＳＣＦ」は、予め適宜決められたものであり、画像ファイルと音声ファイルとで共通に固定的に用いられる。
【００２５】
識別名中のファイル番号は、記録される順番に大きな値となるように付与されるが、関連付けされる画像データファイルと音声データファイルと（以下、これらを総称するときには関連ファイルと称する）には、同じファイル番号が付与される。これにより、  １組の関連ファイルでは、拡張子が異なるが同じ識別名となっている画像データファイルと音声データファイルとが関連付けられていることが識別できるようにされている。例えば、図３に示す例では、画像データファイルＰ３（ファイル名：ＤＳＣＦ０００３．ＪＰＧ）と音声データファイルＳ３（ファイル名：ＤＳＣＦ０００３．ＷＡＶ）とが  １組の関連ファイルである。また、画像データファイルＰ４０と音声データファイルＳ４０、画像データファイルＰ４２と音声データファイルＳ４２についてもそれぞれ  １組の関連ファイルである。
【００２６】
上記の各データファイルのファイル形式や、フォルダ構造，ファイル名などは、ＤＣＦ（Ｄｅｓｉｇｎ  ｒｕｌｅ  ｏｆ  Ｃａｍｅｒａ  Ｆｉｌｅ  ｓｙｓｔｅｍ）規格に準拠したものであるが、本発明を実施する上ではＤＣＦ規格に沿っていなくてもよい。また、画像用の拡張子として「ＪＰＧ  」を用いているのは、画像ファイルをＪＰＥＧ形式で保存しているためであり、音声用の拡張子として「ＷＡＶ  」を用いているのは、音声ファイルをＷＡＶ形式で保存しているためである。したがって、画像ファイル、音声ファイルを他のファイル形式とする場合には、そのファイル形式に応じたものが用いられる。
【００２７】
例えば、画像をＴＩＦＦ形式のデータファイルとして保存する場合には、その拡張子としては「ＴＩＦ  」が用いられる。また音声をＭＰ３形式で保存するならば、その拡張子としては「ＭＰ３  」が用いられる。さらに、画像として静止画ではなく動画を記録する場合には、その動画の形式に応じた拡張子が用いられる。例えば動画をＭＰＥＧ形式で保存するならば、拡張子「ＭＰＧ  」が、ＡＶＩ形式で保存するならば、拡張子「ＡＶＩ  」がそれぞれ用いられる。
【００２８】
図４は、データファイリング装置１０の構成を示すブロック図である。システムコントローラ５０は、操作パネル２９からの指示により各種プログラムを実行し、装置内の各部を制御する。ＲＯＭ５１には、システムコントローラ５０が実行する各種のプログラムが書き込まれている。メインメモリ５２は、システムコントローラ５０が各種プログラムを実行する際の作業用メモリとして使用される。画像処理部５４は、画像データファイルに対して各種の画像処理を施す他、複数のコマ画像が並べて配列されるインデックス画像作成処理など各種の加工処理を施す。
【００２９】
また、第１および第２のカードリーダ３４，３５と、ＣＤ−Ｒドライブ１９とは、システムコントローラ５０に制御されて、データファイルの読み出しと書き込みとを行なう。
【００３０】
システムコントローラ５０は、ファイル名中の識別名に基づいて画像データファイルと音声データファイルと関連付けを判断し、複数枚のＣＤ−Ｒメディア１３に分けて各データファイルを記録する際には、  １組の関連ファイルが異なるＣＤ−Ｒメディア１３に分割されて記録されないようにする。
【００３１】
より具体的には、メモリカード１１またはメモリカード１２からＣＤ−Ｒメディア１３に記録する全ファイルのデータサイズが、装填されたＣＤ−Ｒメディア１３に記録可能なデータサイズよりも大きい場合には、メモリカード１１またはメモリカード１２に関連ファイルが記録されているか否か調べる。そして、関連ファイルが記録されている場合には関連ファイルの一方、例えば画像データファイルが装填中のＣＤ−Ｒメディア１３に記録可能であっても他方の音声データファイルが記録不可能な場合には、新たなＣＤ−Ｒメディア１３に、関連付けされた画像データファイルと音声データファイルを書き込む。
【００３２】
次に上記構成の作用について図５のフローチャートを参照しながら説明する。以下では、メモリカード１１内に記録されている全てのデータファイルをＣＤ−Ｒメディア１３に保存する場合について説明する。
【００３３】
まず、第１のメモリスロット３１に第１のメモリカード１１を、ＣＤ−Ｒドライブ１９にＣＤ−Ｒメディア１３をそれぞれセットする。このときに、スライドスイッチ３６を操作して、第１のメモリスロット３１を有効にしておく必要がある。そして、保存ボタン４５を操作する。これにより有効となっている第１のメモリスロット３１に装填中のメモリカード１１からＣＤ−Ｒメディア１３への保存が指示される。
【００３４】
システムコントローラ５０は、第１のカードリーダ３４を制御して第１のメモリカード１１にアクセスし、第１のメモリカード１１内に記録されている画像データファイル、音声データファイルのデータサイズ，ファイル名を取得し、ＣＤ−Ｒメディア１３に記録すべき記録範囲を全ファイルとする。
【００３５】
続いて、システムコントローラ５３は、ＣＤ−Ｒドライブ１９を制御してＣＤ−Ｒメディア１３にアクセスし、そのＣＤ−Ｒメディア１３の記録可能なデータサイズを取得する。ここで、未使用のＣＤ−Ｒメディア１３を装填していれば、記録可能なデータサイズは、ＣＤ−Ｒメディア１３の種類に応じて予め決まっている記録可能なデータサイズと同じであるが、既にデータが書き込まれているＣＤ−Ｒメディア１３を装填し、これに追加記録する場合であれば、記録可能なデータサイズは、記録可能な残りのデータサイズとなる。
【００３６】
記録可能なデータサイズの取得後、システムコントローラ５０は、記録範囲の合計データサイズを算出し、この記録範囲のデータサイズとＣＤ−Ｒメディア１３の記録可能なデータサイズとを比較する。この比較において、記録範囲のデータサイズがＣＤ−Ｒメディア１３の記録可能データサイズ以下である場合には、この時点のものが装填されているＣＤ−Ｒメディア１３に対する記録範囲とされる。
【００３７】
一方、上記の比較において、記録範囲のデータサイズがＣＤ−Ｒメディア１３の記録可能なデータサイズよりも大きい場合には、次に記録範囲に関連ファイルが記録されているか否かが判断される。すなわち、記録範囲内において、同じ識別名を持ったデータファイルの有無が調べられる。
【００３８】
例えば、記録範囲内のデータファイルが全てが異なる識別名である場合には、関連ファイルが記録されていないと判断される。この判断の後に、現在装填されているＣＤ−Ｒメディア１３に記録するために、記録範囲のデータサイズがＣＤ−Ｒメディア１３の記録可能なデータサイズ以下となるように、記録範囲を１ファイル分ずつ順次に小さくする。
【００３９】
システムコントローラ５０は、識別名を昇順にソートした順序でデータファイルの記録範囲を設定するようにされており、記録範囲を小さくする際にはファイル番号の最も大きなものから順番に記録範囲から外すように記録範囲を順次に小さくする。そして、記録範囲のデータサイズがＣＤ−Ｒメディア１３の記録可能なデータサイズ以下となると、これが装填されているＣＤ−Ｒメディア１３に対する記録範囲とされる。
【００４０】
また、記録範囲内のデータファイル内に同じ識別名のデータファイルがある場合には、関連ファイルが記録されていると判断される。この判断の後に、関連ファイルが記録されていない場合と同様に、記録範囲を１ファイル分ずつ順次に小さくすることで、記録範囲のデータサイズがＣＤ−Ｒメディア１３の記録可能なデータサイズ以下となるようにする。
【００４１】
そして、記録範囲のデータサイズがＣＤ−Ｒメディア１３の記録可能データサイズ以下となると、続いて関連ファイルが分割されるか否かの判断が行われる。この判断は、記録範囲内とその範囲外とに同じ識別名を有するデータファイルが有るか否かを調べることで行われる。すなわち、記録範囲とその範囲外とに同じ識別名のデータファイルがなければ、関連ファイルが分割されていないものと判断される。そして、この場合には、この記録範囲が装填されているＣＤ−Ｒメディア１３に対する記録範囲とされる。
【００４２】
他方、記録範囲とその範囲外とに同じ識別名を有するデータファイルがある場合には、関連ファイルが分割されていると判断されて、記録範囲を１ファイル分小さくする処理が行われてから、再び関連ファイルが分割されているか否かの判断が行われる。そして、この手順を繰り返すことにより、データサイズがＣＤ−Ｒメディア１３の記録可能データサイズ以下となるようにするとともに関連ファイルが分割されないように、装填中のＣＤ−Ｒメディア１３に対する記録範囲が決定される。
【００４３】
なお、上記の記録範囲のデータサイズがＣＤ−Ｒメディア１３の記録可能なデータサイズ以下となるように記録範囲を１ファイル分ずつ順次に小さくする処理、及び関連ファイルが分割されないようにするために記録範囲を１ファイル分ずつ順次に小さくする処理において、記録範囲のファイル数が「０」となった場合には、ＣＤ−Ｒメディア１３の記録可能データサイズが小さ過ぎるものとして、容量不足の警告と、ＣＤ−Ｒメディア１３の交換要求がＬＣＤ３０に表示される。この場合には、ユーザは、装填されているＣＤ−Ｒメディア１３を取り出して新たなＣＤ−Ｒメディア１３に交換する。ＣＤ−Ｒメディア１３の交換後、記録範囲から外された未記録のデータファイルが新たな記録範囲とされてから、新たに装填されたＣＤ−Ｒメディア１３の記録可能なデータサイズを取得するステップに戻って処理が行われる。
【００４４】
また、この例では、記録範囲での関連ファイルの有無に応じて、処理を分岐させているが、この条件による分岐を省略し、記録範囲のデータサイズがＣＤ−Ｒメディア１３の記録可能データサイズよりも大きい場合に、記録範囲に関連ファイルが有る場合の処理を実行しても、同じ結果が得られる。
【００４５】
上記のように、装填されているＣＤ−Ｒメディア１３に対する記録範囲が決定された後に、その記録範囲の各データファイルがメモリカード１１から順次に読み出されて、ＣＤ−Ｒメディア１３に適当な名前で作成されたディレクトリ内に記録される。
【００４６】
この書き込み後に、ＣＤ−Ｒメディア１３への未記録のデータファイル数が「０」であるか否かが調べられ、未記録のデータファイル数が「０」である場合には、メモリカード１１の各データファイルをＣＤ−Ｒメディア１３に保存のための処理が終了する。また、未記録のデータファイル数が「０」でない場合には、ＣＤ−Ｒメディア１３の交換を要求するための表示がＬＣＤ３０にされる。
【００４７】
上記表示に応じてＣＤ−Ｒ１３を交換すると、未記録のデータファイルが記録範囲としてから、再びＣＤ−Ｒメディア１３の記録可能データサイズを取得するステップに戻って処理が行われる。このようにして、メモリカード１１の全てのデータファイルが１枚以上のＣＤ−Ｒメディア１３に保存される。
【００４８】
したがって、メモリカード１１に記録されている全データファイルのデータサイズが装填されているＣＤ−Ｒメディア１３の記録可能なデータサイズ以下であれば、関連ファイルの有無にかかわら、その全データファイルが１枚のＣＤ−Ｒメディア１３に保存される。
【００４９】
また、全データファイルのデータサイズが装填されているＣＤ−Ｒメディア１３の記録可能なデータサイズよりも大きいときには、メモリカード１１に記録されている各データファイルは複数枚のＣＤ−Ｒメディア１３に分割されて記録されるが、関連ファイルが有る場合には、その関連付けされたデータファイルは同一のＣＤ−Ｒメディア１３に記録される。
【００５０】
例えば、図３に示されるように、関連付けられたデータファイルを有するメモリカード１１の全データファイルを保存する場合には、この全データファイルのデータサイズが保存先のＣＤ−Ｒメディア１３の記録可能なデータサイズ以下であるときには、その全データファイルは１枚のＣＤ−Ｒメディア１３に保存される。
【００５１】
しかし、例えば、各データファイルＰ１，Ｐ２，Ｐ３，Ｓ３・・・Ｐ３９，Ｐ４０が最初に装填された１枚目のＣＤ−Ｒメディア１３に保存可能であるとすしても、画像データファイルＰ４０と音声データファイルＳ４０とは、同じ識別名を有する互いに関連付けされたデータファイルであるため、画像データファイルＰ４０と音声データファイルＳ４０とは２枚目のＣＤ−Ｒメディア１３に記録される。
【００５２】
これにより、図６（ａ）に１枚目のＣＤ−Ｒメディア１３ａの記録内容を示すように、各データファイルＰ１，Ｐ２，Ｐ３，Ｓ３・・・Ｐ３９が１枚目のＣＤ−Ｒメディア１３ａに保存され、図６（ｂ）に２枚目のＣＤ−Ｒメディア１３ｂの記録内容を示すように、画像データファイルＰ４０，Ｐ４２，Ｐ４３と、音声データファイルＳ４０，Ｓ４１，Ｓ４２とが２枚目のＣＤ−Ｒメディア１３ｂに保存される。このように各関連付けられたデータファイルが同じＣＤ−Ｒメディアに記録されるから、データファイルの関連付けを損なうことがない。
【００５３】
上記の例においては、関連ファイルが分割されてしまう場合には、ＣＤ−Ｒメディア１３に記録可能な容量を残したまま、そのＣＤ−Ｒメディア１３に対する記録を終了するが、例えば関連付けされていない独立したデータファイルや、合計のデータサイズの小さい関連ファイルを記録するようにしてＣＤ−Ｒメディア１３に可能な限り多くのデータファイルを記録してもよい。
【００５４】
上記実施形態では、データファイルの関連付けをファイル名中の識別名を同一にすることによって行った例で説明しているが、本発明を実施する上では、関連付けの手法はこれに限られない。例えば、ＤＣＦ規格では、画像データにＥＸＩＦＴＡＧと呼ばれる付加データを加えたＥＸＩＦフォーマットで画像データファイルが記録されるから、ＥＸＩＦＴＡＧに音声データとの関連付け情報を与えた形式で画像データファイルを記録したものであってもよい。
【００５５】
また、画像データファイルと音声ファイルデータとを関連付けている場合について説明しているが、例えば最近のデジタルカメラでは、連続的に複数の静止画を撮影する連写機能を有するものがあるが、このような１連の連続撮影で得られる画像データファイルを関連付けを行っておけば、同様に処理することができる。例えばｎコマの連続撮影で得られる画像データファイルに「ＤＳＣＦＡ０１０１  」〜「ＤＳＣＦＡ０１０ｎ  」、「ＤＳＣＦＡ０２０１  」〜「ＤＳＣＦＡ０２０ｎ  」・・・・等のように、ファイル番号の先頭に共通の文字を用いるなどすれば関連付けることができる。
【００５６】
また、上記実施形態では、プリンタ機能を内蔵したデータファイリング装置について本発明を適用した例について説明したが、その他のデータファイリング装置やデータ処理装置等にも本発明を利用することができる。また、メモリカードからＣＤ−Ｒメディアへのデータファイルの保存に限らず、各種のメディア間で行ってもよい。さらにパーソナルコンピュータにおけるハードディスク、各種光学ディスクとの相互間での移動や複写などにも本発明を利用できる。
【００５７】
【発明の効果】
以上説明したように、本発明によれば、記録すべきデータファイルの全データサイズが記録先の第２のメディアの記録可能容量よりも大きく、かつ関連付けされたデータファイルが含まれるときには、複数の第２の記録メディアにデータファイルを分割して記録するとともに、関連付けされたデータファイル同士を同一の第２の記録メディアに記録するようにしたから、複数の第２のメディアに分割して記録する際に、関連付けされたファイルが同一の第２の記録メディアに記録されるから、関連付けを損なうことがない。
【図面の簡単な説明】
【図１】本発明を実施したデータファイリング装置と周辺機器との外観を示す斜視図である。
【図２】データファイリング装置の前面の構成を示す斜視図である。
【図３】メモリーカード内のデータファイルの記録状態を示す説明図である。
【図４】画像ファイリング装置の構成を示すブロック図である。
【図５】データファイルの保存手順を示すフローチャートである。
【図６】２枚のＣＤ−Ｒメディアにデータファイルを記録した状態を示す説明図である。
【符号の説明】
１０データファイリング装置
１１  第１のメモリカード
１２  第２のメモリカード
１３  ＣＤ−Ｒメディア
１９  ＣＤ−Ｒドライブ
３４  第１のカードリーダ
３５  第２のカードリーダ
５０  フォルダ
【図１】
2004296045.tif 000003
【図２】
2004296045.tif 000004
【図３】
2004296045.tif 000005
【図４】
2004296045.tif 000006
【図５】
2004296045.tif 000007
【図６】
2004296045.tif 000008